(57)【要約】【課題】  本発明は、測光精度が確保された測光装置及びその測光装置を搭載した電子カメラを提供する。【解決手段】  測光装置は、測光センサ１０５、被写体検出部１９ａ、ライン指定部１９ｂ及び光量演算部１９ｈを備える。測光センサ１０５は、複数の光電変換素子からなる光電変換素子列が複数行に配列され、光電変換素子で得られる第１の受光信号を出力する。被写体検出部１９ａは、光電変換素子の受光信号に基づく画像から対象の像を検出する。ライン指定部１９ｂは、対象に対する第１の照明に先立って第２の照明を行う際に、画像における対象の像の大きさに基づいて複数行の光電変換素子列の一部を選択して第１の受光信号とは異なる第２の受光信号を出力制御する。光量演算部１９ｈは、ライン指定部１９ｂによって選択された光電変換素子列で得られる第２の受光信号に基づいて、第１の照明の光量を求める。電子カメラは、上記の測光装置と光学系５１とを備える。【選択図】    図２
2012063664.tif 000002
【特許請求の範囲】
【請求項１】
複数の光電変換素子からなる光電変換素子列が複数行に配列され、該光電変換素子で得られる第１の受光信号を出力する受光部と、
前記光電変換素子の受光信号に基づく画像から対象の像を検出する検出部と、
前記対象に対する第１の照明に先立って第２の照明を行う際に、前記画像における前記対象の像の大きさに基づいて前記複数行の光電変換素子列の一部を選択して前記第１の受光信号とは異なる第２の受光信号を出力制御する制御部と、
前記制御部によって選択された光電変換素子列で得られる前記第２の受光信号に基づいて、前記第１の照明の光量を求める演算部と
を備えることを特徴とする測光装置。
【請求項２】
請求項１に記載の測光装置において、
前記第１の受光信号に基づいて、前記画像内の前記対象の位置に相当する部分領域の明るさを求める測光部をさらに備え、
前記制御部は、前記対象の像の大きさと前記明るさとに基づいて、前記光電変換素子列を選択することを特徴とする測光装置。
【請求項３】
請求項１又は請求項２に記載の測光装置において、
前記受光部から繰り返し出力される複数の前記第１の受光信号による複数の前記画像から前記対象の動きを検出する動き検出部をさらに備え、
前記制御部は、前記対象の大きさと前記対象の動きとに基づいて、前記光電変換素子列を選択することを特徴とする測光装置。
【請求項４】
請求項３に記載の測光装置において、
前記動き検出部は、前記対象の動きに基づいて像ぶれを検出し、
前記制御部は、前記対象の大きさと前記像ぶれの度合いとに基づいて、前記光電変換素子列を選択することを特徴とする測光装置。
【請求項５】
請求項１から請求項４の何れか１項に記載の測光装置と、
前記対象の像を前記受光部上に結像する光学系と
を備えることを特徴とする電子カメラ。
【請求項６】
請求項５に記載の電子カメラにおいて、
前記電子カメラ本体が支持脚で支持された状態か否かを検出する支持状態検出部を備え、前記制御部は、前記支持状態に応じて前記光電変換素子列を選択することを特徴とする電子カメラ。
【請求項７】
請求項５又は請求項６に記載の電子カメラにおいて、
単写撮影と連写撮影とを切り替える撮影モード切替部をさらに備え、
前記制御部は、前記連写撮影の場合、前記単写撮影に比べて選択する前記光電変換素子列の数を多くすることを特徴とする電子カメラ。
【請求項８】
請求項５から請求項７の何れか１項に記載の電子カメラにおいて、
前記光学系の倍率を検出する倍率検出部をさらに備え、
前記制御部は、前記倍率検出部の検出結果に基づいて、前記光電変換素子列を選択することを特徴とする電子カメラ。
【請求項９】
請求項５から請求項８の何れか１項に記載の電子カメラにおいて、
露光秒時を制御する秒時制御部をさらに備え、
前記制御部は、前記露光秒時が高速になるにしたがって、選択する前記光電変換素子列の数を多くすることを特徴とする電子カメラ。
【発明の詳細な説明】
【技術分野】
【０００１】
本発明は、測光装置及びその測光装置を搭載した電子カメラに関する。
【背景技術】
【０００２】
従来から、電子カメラに内蔵又は外付けされた閃光装置から予備発光をすることにより被写体からの反射光を測光し、測光結果に基づいて撮影時の本発光量を決定する技術が知られている（例えば、特許文献１参照）。
【０００３】
特許文献１には、被写体からの反射光を受光する撮像素子の画素の出力を行（ライン）単位で間引くことによって、全体の電荷蓄積時間を短くして予備発光による反射光以外の定常光の影響を減らす技術の一例が開示されている。
【先行技術文献】
【特許文献】
【０００４】
【特許文献１】特開２００６−５０３３７号公報
【発明の概要】
【発明が解決しようとする課題】
【０００５】
しかし、上記の技術では、撮影対象となる被写体の大きさによっては、測光精度が低下する問題が生じる。
【０００６】
そこで、本発明は、上記事情に鑑み、測光精度が確保される測光装置及びその測光装置を搭載した電子カメラを提供することを目的とする。
【課題を解決するための手段】
【０００７】
第１の発明に係る測光装置は、受光部と、検出部と、制御部と、演算部とを備える。受光部は、複数の光電変換素子からなる光電変換素子列が複数行に配列され、その光電変換素子で得られる第１の受光信号を出力する。検出部は、光電変換素子の受光信号に基づく画像から対象の像を検出する。制御部は、対象に対する第１の照明に先立って第２の照明を行う際に、画像における対象の像の大きさに基づいて複数行の光電変換素子列の一部を選択して第１の受光信号とは異なる第２の受光信号を出力制御する。演算部は、制御部によって選択された光電変換素子列で得られる第２の受光信号に基づいて、第１の照明の光量を求める。
【０００８】
第２の発明は、第１の発明において、測光部をさらに備える。測光部は、第１の受光信号に基づいて、画像内の対象の位置に相当する部分領域の明るさを求める。制御部は、対象の像の大きさと明るさとに基づいて、光電変換素子列を選択する。
【０００９】
第３の発明は、第１又は第２の発明において、動き検出部をさらに備える。動き検出部は、受光部から繰り返し出力される複数の第１の受光信号による複数の画像から対象の動きを検出する。制御部は、対象の大きさと対象の動きとに基づいて、光電変換素子列を選択する。
【００１０】
第４の発明は、第３の発明において、動き検出部は、対象の動きに基づいて像ぶれを検出する。制御部は、対象の大きさと像ぶれの度合いとに基づいて、光電変換素子列を選択する。
【００１１】
第５の発明に係る電子カメラは、請求項１から請求項４の何れか１項に記載の測光装置と、対象の像を受光部上に結像する光学系とを備える。
【００１２】
第６の発明は、第５の発明において、支持状態検出部を備える。支持状態検出部は、電子カメラ本体が支持脚で支持された状態か否かを検出する。制御部は、支持状態に応じて光電変換素子列を選択する。
【００１３】
第７の発明は、第５又は第６の発明において、撮影モード切替部をさらに備える。撮影モード切替部は、単写撮影と連写撮影とを切り替える。制御部は、連写撮影の場合、単写撮影に比べて選択する光電変換素子列の数を多くする。
【００１４】
第８の発明は、第５から第７の何れか１の発明において、倍率検出部をさらに備える。倍率検出部は、光学系の倍率を検出する。制御部は、倍率検出部の検出結果に基づいて、光電変換素子列を選択する。
【００１５】
第９の発明は、第５から第８の何れか１の発明において、秒時制御部をさらに備える。秒時制御部は、露光秒時を制御する。制御部は、露光秒時が高速になるにしたがって、選択する光電変換素子列の数を多くする。
【発明の効果】
【００１６】
本発明によれば、測光精度が確保される測光装置及びその測光装置を搭載した電子カメラを提供できる。
【図面の簡単な説明】
【００１７】
【図１】電子カメラ１の要部の構成例を示す側面図
【図２】図１に示す電子カメラ１及び閃光装置１５０の内部構成例を示す図
【図３】電子カメラ１の動作の一例を示すフローチャート
【図４】測光センサ１０５が出力する画像信号に基づく画像の画素の配列を示した図
【図５】測光センサ１０５の撮像領域に収まる被写体の一例を示す図
【図６】測光センサ１０５が出力する画像信号に基づく画像の一例を示す図
【図７】第１及び第２の間引きモードを説明する図
【図８】間引き読み出しされた画像信号に基づく出力画像の一例を示す図
【図９】図３のフローチャートの間引きモードの判定処理の変形例を説明する図
【発明を実施するための形態】
【００１８】
以下、図面に基づいて本発明の実施の形態を詳細に説明する。図１は、電子カメラ１の要部の構成例を示す側面図である。なお、この電子カメラ１は、本発明の一実施形態である測光装置を搭載している。
【００１９】
電子カメラ１は、例えば一眼レフレックスタイプの電子カメラであり、電子カメラ本体１００と撮影レンズユニット５０とを備える。撮影レンズユニット５０は、被写体光を電子カメラ本体１００に導くために、電子カメラ本体１００の前面に形成されたレンズマウント１００ａに着脱自在に取り付けられる。なお、電子カメラ本体１００と撮影レンズユニット５０とは、撮影レンズユニット５０の装着時にレンズマウント１００ａの接点を介して電気的に接続される。
【００２０】
撮影レンズユニット５０は、レンズ系５１、絞り５２及び角速度センサ５３を備える。レンズ系５１は、フォーカスレンズやズームレンズを含む複数枚のレンズにより構成される。ここでは、説明の便宜上１枚のレンズで図示する。絞り５２は、入射光量を絞り羽根の開閉で調整する。角速度センサ５３は、電子カメラ本体１００の動き（振動）を検出するセンサである。角速度の検出には２つの角速度センサを用いるが、説明の便宜上１つの角速度センサとして図示する。角速度センサ５３は、上下方向（ピッチング）の動きと、左右方向（ヨーイング）の動きとを検出する。なお、角速度センサ５３には、例えば回転によるコリオリ力を検出する圧電振動式の角速度センサ等が用いられる。
【００２１】
また、被写体に照明光を照射するための閃光装置１５０が、電子カメラ本体１００の上面に形成されたホットシュー（接続用端子）１５０ａに着脱自在に取り付けられる。なお、電子カメラ本体１００と閃光装置１５０とは、閃光装置１５０の装着時にホットシュー（接続用端子）１５０ａの接点を介して電気的に接続される。
【００２２】
電子カメラ本体１００は、クイックリターンミラー１０１、ファインダスクリーン１０２、ペンタダハプリズム１０３、結像光学系１０４、測光センサ１０５、接眼レンズ１０６、光学式ファインダ１０７、レリーズ釦１０８、機械式シャッタ１０９及び撮像素子１０を備える。
【００２３】
クイックリターンミラー１０１は、図中、一点鎖線で示す光軸Ｌ上に回動自在に設けられる。このクイックリターンミラー１０１は、被写体の撮影を行わない場合、光軸Ｌに対して斜めの位置に配置される。この場合、クイックリターンミラー１０１は、レンズ系５１を介して電子カメラ本体１００に入射された被写体光を受光し、その被写体光を反射させてファインダスクリーン１０２に導く。
【００２４】
一方、被写体を撮像する撮像時において、クイックリターンミラー１０１は、回動により図の点線で示す位置に退避し、被写体から電子カメラ本体１００に入射された被写体光は、撮像素子１０に導かれる。
【００２５】
ファインダスクリーン１０２は、撮像素子１０で撮像を行わない場合、クイックリターンミラー１０１により導かれた被写体光を拡散し、拡散させた被写体光をペンタダハプリズム１０３に導く。ペンタダハプリズム１０３は、ファインダスクリーン１０２により拡散された被写体光を反射させて結像光学系１０４及び接眼レンズ１０６に導く。
【００２６】
結像光学系１０４は、例えば複数のレンズで構成され、測光センサ１０５上に被写体像を結像させる。なお、説明の便宜上、本実施形態では、結像光学系１０４を１枚のレンズで図示する。
【００２７】
測光センサ１０５は、複数の光電変換素子からなる光電変換素子列が複数行に配列され、その光電変換素子で得られる受光信号を出力する。具体的には、測光センサ１０５は、２次元に配列された画素の画像信号（受光信号）を選択的に読み出し可能な撮像領域を有し、予備発光時の被写体からの反射光を撮像領域で測光する。より具体的には、測光センサ１０５は、例えば、ＸＹアドレス指定により任意のライン（光電変換素子列）を読み出し可能なＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型の撮像素子を有する。この撮像素子の撮像領域には、被写体像をカラー検出するために、赤色（Ｒ）、緑色（Ｇ）、青色（Ｂ）の３種類のカラーフィルタが、一例としてベイヤー配列で配置されている。撮像素子が出力する画像信号は、測光センサ１０５内部でゲイン調整やＡ／Ｄ変換等が施されて、後述するＲＡＭ（Ｒａｎｄｏｍ  Ａｃｃｅｓｓ  Ｍｅｍｏｒｙ）１３又はＣＰＵ（Ｃｅｎｔｒａｌ  Ｐｒｏｃｅｓｓｉｎｇ  Ｕｎｉｔ）１９内のメモリ（不図示）に一時的に記録される。なお、撮像素子は、アドレス指定によりライン毎に電荷蓄積時間を制御するローリングシャッタ方式を採用する。これにより、ローリングシャッタ方式では、撮像素子が全ラインの電荷を蓄積して読み出す動作状態やライン（例えば水平走査ライン）単位で間引くことにより電荷を蓄積して読み出す動作状態（間引き読み出し）を選択することができる。
【００２８】
接眼レンズ１０６は、ペンタダハプリズム１０３により導かれた被写体光を被写体像として結像する。撮影者は、光学式ファインダ１０７を介して、接眼レンズ１０６により結像される被写体像を見ることで、被写体の構図等を確認できる。
【００２９】
レリーズ釦１０８は、半押し操作（撮影前におけるオートフォーカス（ＡＦ）や自動露出（ＡＥ）等の撮影準備動作）の指示入力と全押し操作（撮像動作開始）との指示入力とを受け付ける。
【００３０】
機械式シャッタ１０９は、開閉式のシャッタ幕を備え、撮像素子１０への入射光を遮光する遮光状態と、撮像素子１０に入射光を到達させる非遮光状態とをシャッタ幕の開閉により切り替える。撮像素子１０は、被写体像を撮像して画像を生成する。撮像素子１０は、例えばＣＭＯＳ型のカラーイメージセンサである。
【００３１】
また、本実施形態では、必要に応じて、電子カメラ本体１００を支持するための支持脚として三脚６１が、雲台６０を介して、電子カメラ本体１００の下面に取り付けられる。なお、支持脚は三脚に限られず、一脚であっても良い。なお、角速度センサ５３は、電子カメラ本体１００の動き（振動）に基づいて、電子カメラ本体１００が三脚６１で支持された状態か否かを検出する（詳細は後述する）。
【００３２】
図２は、図１に示す電子カメラ１及び閃光装置１５０の内部構成例を示す図である。電子カメラ１は、上述した通り、電子カメラ本体１００と撮影レンズユニット５０とを有している。なお、図２では、説明の便宜上、図１に示したファインダスクリーン１０２、ペンタダハプリズム１０３、接眼レンズ１０６、光学式ファインダ１０７、機械式シャッタ１０９、雲台６０及び三脚６１等の図示を省略する。
【００３３】
撮影レンズユニット５０は、上述した通り、レンズ系５１、絞り５２及び角速度センサ５３を備える。なお、角速度センサ５３が出力する信号は、後述するＲＡＭ１３又はＣＰＵ１９内のメモリに一時的に記録される。
【００３４】
電子カメラ本体１００は、クイックリターンミラー１０１、結像光学系１０４と、測光センサ１０５と、撮像素子１０と、信号処理部１１と、画像処理部１２と、ＲＡＭ１３と、ＲＯＭ（Ｒｅａｄ  Ｏｎｌｙ  Ｍｅｍｏｒｙ）１４と、記録インターフェース部（以下、「記録Ｉ／Ｆ部」という。）１５と、表示モニタ１６と、操作部１７と、レリーズ釦１０８と、ぶれ検出部１８と、ＣＰＵ１９と、データバス２０と、レンズマウント１００ａと、ホットシュー１５０ａとを備える。
【００３５】
このうち、信号処理部１１、画像処理部１２、ＲＡＭ１３、ＲＯＭ１４、記録Ｉ／Ｆ部１５、表示モニタ１６及びＣＰＵ１９は、データバス２０を介して互いに接続されている。
【００３６】
信号処理部１１は、撮像素子１０が生成する画像信号に対して信号処理を施す回路である。この信号処理部１１は、画像信号のゲイン調整やＡ／Ｄ変換などを行う。この信号処理部１１が出力する画像信号は、画像データとしてＲＡＭ１３に一時的に記録される。
【００３７】
画像処理部１２は、ＲＡＭ１３に記録されている画像信号を読み出し、各種の画像処理（階調変換処理、輪郭強調処理、ホワイトバランス処理、ＹＣ変換処理等）を施す。ＲＯＭ１４は、電子カメラ１の制御を行うプログラム等を予め記憶している不揮発性のメモリである。ＣＰＵ１９は、このプログラムに従い、一例として後述の図３に示すフローの処理を実行する。
【００３８】
記録Ｉ／Ｆ部１５には、着脱自在の記録媒体３０を接続するためのコネクタ（不図示）が形成されている。そして、記録Ｉ／Ｆ部１５は、ＣＰＵ１９からの指示により、そのコネクタに接続された記録媒体３０にアクセスして静止画像や動画の記録処理等を行う。この記録媒体３０は、例えば、不揮発性のメモリカードである。図２では、コネクタに接続された後の記録媒体３０を示している。
【００３９】
表示モニタ１６は、例えば、静止画像や電子カメラ１の操作メニュー等を表示する。表示モニタ１６には、液晶モニタ等を適宜選択して用いることができる。
【００４０】
操作部１７は、例えば、コマンド選択用のコマンドダイヤル、電源ボタン等を有している。そして、操作部１７は、電子カメラ１を操作するための指示入力を受け付ける。また、操作部１７は、コマンドダイヤルを介して、例えば、撮影に関するモードの切替えの指示入力を受け付ける。一例として、操作部１７は、１枚の静止画像の撮影を行う単写モードと、所定の時間間隔で連続的に静止画像を撮影する連写モードとの切替えの指示入力を受け付ける。これにより、操作部１７は、単写モードと、連写モードとの切替えを行う。
【００４１】
ぶれ検出部１８は、電子カメラ本体１００のぶれを検出する。具体的には、ぶれ検出部１８は、例えば圧電素子を用いたジャイロセンサで構成され、手ぶれによる電子カメラ本体１００のぶれを角速度により検出する。
【００４２】
ＣＰＵ１９は、電子カメラ１の統括的な制御を行うプロセッサである。ＣＰＵ１９は、ＲＯＭ１４に予め格納されたプログラムを実行することにより電子カメラ１の各部を制御する。ＣＰＵ１９は、上記のプログラムを実行することにより、電子カメラ１の各部の制御等を行う。また、ＣＰＵ１９は、被写体検出部１９ａ、ライン指定部１９ｂ、輝度算出部１９ｃ、動き検出部１９ｄ、追尾部１９ｅ、撮影倍率検出部１９ｆ、シャッタ秒時制御部１９ｇ及び光量演算部１９ｈとしても機能する。
【００４３】
被写体検出部１９ａは、光電変換素子の画像信号に基づく画像から対象の像を検出する。具体的には、被写体検出部１９ａは、画像信号に基づく画像から被写体として人物の顔を検出する。すなわち、被写体検出部１９ａは、測光センサ１０５が出力する画像信号に基づく画像を解析して肌色領域を顔の領域として抽出し、その位置座標、サイズ（範囲）を検出する。
【００４４】
ライン指定部１９ｂは、本発光に先立って行われる予備発光時に撮像領域から画像信号を間引き読み出しするラインを、画像内の被写体の顔の大きさに基づいて指定する。例えば、ライン指定部１９ｂは、画像内の被写体の占める割合に応じて指定するライン数を増減する。つまり、ライン指定部１９ｂは、予備発光を行う際に、画像における対象の像の大きさに基づいて複数行のラインの一部を選択して、例えば本発光時に出力される画像信号とは異なる画像信号を出力制御する。
【００４５】
輝度算出部１９ｃは、画像信号に基づいて、輝度値を算出する。例えば、輝度算出部１９ｃは、画像内の被写体の位置に相当する部分領域の輝度値を求める（詳細は後述する）。これにより、輝度算出部１９ｃは、被写体の輝度値を正確に求めることができる。そして、ライン指定部１９ｂは、被写体の大きさと輝度値とに基づいて、間引き読み出しするラインを指定する。
【００４６】
動き検出部１９ｄは、測光センサ１０５から繰り返し出力される複数の画像信号による複数のフレーム（画像）から、被写体の動きを検出する。具体的には、動き検出部１９ｄは、フレーム（画像）を複数のブロックに分割して、各ブロックの動きベクトルを検出する。すなわち、動き検出部１９ｄは、時間的に隣り合うフレームとして、現フレーム（現在のフレーム）と前フレーム（例えば、１つ前のフレーム）との間において、フレーム間差分によるブロックマッチングを実施する。そして、動き検出部１９ｄは、ブロックマッチングに基づいて、ブロック毎の動きベクトルを検出する。これにより、動き検出部１９ｄは、ブロック毎の動きベクトルに基づいて、被写体の動きを検出することができる。ライン指定部１９ｂは、被写体の大きさと被写体の動きとに基づいて、間引き読み出しするラインを指定する。
【００４７】
追尾部１９ｅは、動き検出部の検出結果に基づいて、フレーム間に亘って被写体を追尾する。この場合、ライン指定部１９ｂは、被写体の大きさと追尾部１９ｅの追尾結果とに基づいて、間引き読み出しするラインを指定する。
【００４８】
撮影倍率検出部１９ｆは、撮影光学系の撮影倍率を検出する。この場合、ライン指定部１９ｂは、撮影倍率検出部１９ｆの検出結果に基づいて、間引き読み出しするラインを指定する
シャッタ秒時制御部１９ｇは、シャッタ秒時を制御する。この場合、ライン指定部１９ｂは、シャッタ秒時が高速になるにしたがって、画像信号を間引き読み出しするライン数を増やす。
【００４９】
光量演算部１９ｈは、ライン指定部１９ｂによって選択されたラインで得られる画像信号に基づいて、本発光の光量を求める。
【００５０】
また、図２において、閃光装置１５０は、発光部１５０ｂと発光制御部１５０ｃとを備える。発光部１５０ｂは、コンデンサに充電された電気エネルギーを光エネルギーに変換する回路である。発光部１５０ｂには、例えばキセノン管が備えられており、このキセノン管の放電により発光を行う。なお、発光部１５０ｂは、例えばＬＥＤ（発光ダイオード）を光源としても良い。発光制御部１５０ｃは、予備発光の光量や本発光の光量等を示す発光情報をＣＰＵ１９から受信し、受信した発光情報に基づいて発光部１５０ｂに対して予備発光や本発光を行わせる。
【００５１】
次に、電子カメラ１の動作について説明する。図３は、電子カメラ１の動作の一例を示すフローチャートである。ＣＰＵ１９は、電子カメラ１の電源オンの指示入力を受け付けると、この図３に示すフローの処理を開始させる。なお、このフローの処理では、本発光によるフラッシュ撮影を行うことを前提とする。
【００５２】
ステップＳ１０１：ＣＰＵ１９は、測光センサ１０５を駆動して、定常光受光時の電荷の蓄積制御を行う。具体的には、ＣＰＵ１９は、図１に示す通り、クイックリターンミラー１０１を光軸に対して斜めの位置に配置させる。これにより、クイックリターンミラー１０１は、被写体光を反射させてファインダスクリーン１０２に導く。ファインダスクリーン１０２は、被写体光を拡散し、拡散させた被写体光をペンタダハプリズム１０３に導く。ペンタダハプリズム１０３は、被写体光を反射させて結像光学系１０４に導く。結像光学系１０４は、測光センサ１０５上に被写体像を結像させる。測光センサ１０５の撮像素子は、被写体像を光電変換して電荷の蓄積を行う。
【００５３】
図４は、測光センサ１０５が出力する画像信号に基づく画像の画素の配列を示した図である。本実施形態では、一例として、画像の横方向の座標をｉで表して、０〜１９までの値をとるものとし、画像の縦方向の座標をｊで表して０〜２９までの値をとるものとする。また、Ａ／Ｄ変換後の各画素の出力は、受光した光量に比例して０〜１０２３のデジタル値をとるものとする。
【００５４】
図５は、測光センサ１０５の撮像領域に収まる被写体の一例を示す図である。図５（ａ）と図５（ｂ）とでは、被写体Ｐの顔の大きさが異なることを表している。
【００５５】
ステップＳ１０２： ＣＰＵ１９は、測光センサ１０５に画像信号の出力を行わせる。図６は、測光センサ１０５が出力する画像信号に基づく画像の一例を示す図である。図６（ａ）は、図５（ａ）に対応する画像であり、図６（ｂ）は、図５（ｂ）に対応する画像である。なお、本実施形態では、図６において画面中央部の被写体（人物）領域の輝度が低く、それ以外の部分の輝度が高いものとする。なお、図６では、輝度の違いを濃淡で模式的に表している（後述する図８も同様とする）。
【００５６】
ステップＳ１０３：ＣＰＵ１９の輝度算出部１９ｃは、測光制御値の算出を行う。具体的には、輝度算出部１９ｃは、シャッタ速度や絞り値等の撮影条件を決定するための測光制御値（制御ＢＶ、ＢＶ：Ｂｒｉｇｈｔｎｅｓｓ  Ｖａｌｕｅ）の算出を行う。輝度算出部１９ｃは、測光制御値の算出するために以下の式（１）を用いる。
【００５７】
【数１】
2012063664.tif 000003
【００５８】
式（１）中、ＶｏｙＢａｃｋ［ｉ、ｊ］（ｉ：０〜１９、ｊ：０〜２９）は、画像中の横座標ｉ、縦座標ｊの画素における測光センサ１０５の出力を表している。Ｌｏｇ２（ ）は、２を底とした引数の対数値を返す関数である。また、式（１）中の各々のΣは、それぞれｉとｊとに対応する繰り返し加算である。ＢｖＣｏｎｓｔは、測光制御値を算出するために必要な各種補正値を加味するための定数である。
【００５９】
ステップＳ１０４：ＣＰＵ１９は、レリーズ釦１０８の半押し操作の指示入力の有無を判定する。半押し操作の指示入力が無い場合（ステップＳ１０４：Ｎｏ）、ＣＰＵ１９は、後述するステップＳ１１６の処理に移行して電源オフの判定がされない限り（ステップＳ１１６：Ｎｏ）、ステップＳ１０１の処理に戻る。そして、ＣＰＵ１９は、測光センサ１０５の撮像素子に蓄積された電荷をリセットした後、ステップＳ１０１〜Ｓ１０３の処理を再度繰り返す。
【００６０】
一方、半押し操作の指示入力が有った場合（ステップＳ１０４：Ｙｅｓ）、ＣＰＵ１９は、ステップＳ１０５の処理に移行する。
【００６１】
ステップＳ１０５：ＣＰＵ１９は、後述する第１又は第２の間引きモードを選択するための判定処理を行う。具体的には、ＣＰＵ１９の被写体検出部１９ａは、一例として測光センサ１０５が出力する画像信号に基づいて、画像を解析して肌色領域を顔の領域として抽出する。ここで、ＣＰＵ１９は、検出された顔の領域に対して、測光センサ１０５の撮像領域に対応する画像内に占める割合が予め設定した閾値を超えているか否かを判定する。ここで、閾値の一例としては、顔の大きさが、第２の間引きモードの際、顔を横切る読み出しラインが１本以下になる大きさとする。顔の大きさが閾値以下の場合、ＣＰＵ１９は、第１の間引きモードを選択するため、間引き選択用のフラグをオンにする。一方、顔の大きさが閾値を超えている場合、ＣＰＵ１９は、第２の間引きモードを選択するため、間引き選択用のフラグをオフにする。なお、顔が検出されない場合には、ＣＰＵ１９は、第１の間引きモードを選択することとし、間引き選択用のフラグをオンにする。
【００６２】
ステップＳ１０６：ＣＰＵ１９は、判定結果に基づいて、第１又は第２の間引きモードを選択する。図７は、第１及び第２の間引きモードを説明する図である。第１の間引きモードでは、間引き読み出しするラインを第２の間引きモードよりも多くする。図７（ａ）は、第１の間引きモードにおける間引き読み出しするラインを網かけのラインで例示している。図７（ｂ）は、第２の間引きモードにおける間引き読み出しするラインを網かけのラインで例示している。
【００６３】
ここで、フラグがオンの場合（ステップＳ１０６：Ｙｅｓ）、ＣＰＵ１９は、ステップＳ１０７−１の処理に移行する。フラグがオフの場合（ステップＳ１０６：Ｎｏ）、ＣＰＵ１９は、ステップＳ１０７−２の処理に移行する。
【００６４】
ステップＳ１０７−１：ＣＰＵ１９のライン指定部１９ｂは、第１の間引きモードを設定する。すなわち、ライン指定部１９ｂは、間引き読み出しするラインを第１の間引きモードに基づいて指定する。そして、ＣＰＵ１９は、ステップＳ１０８の処理に移行する。
【００６５】
ステップＳ１０７−２：ライン指定部１９ｂは、第２の間引きモードを設定する。すなわち、ライン指定部１９ｂは、間引き読み出しするラインを第２の間引きモードに基づいて指定する。そして、ＣＰＵ１９は、ステップＳ１０８の処理に移行する。
【００６６】
ステップＳ１０８：ＣＰＵ１９は、閃光装置１５０に予備発光を行わせる。具体的には、ＣＰＵ１９は、閃光装置１５０に向けて駆動信号を送信する。閃光装置１５０の発光制御部１５０ｃは、発光部１５０ｂに閃光を発光させる。ここで、発光部１５０ｂから照射された予備発光の閃光は、被写体を照明する。そして、被写体からの反射光（被写体光）は、ステップＳ１０１で上述した通り、クイックリターンミラー１０１を介して、ファインダスクリーン１０２に導かれる。ファインダスクリーン１０２は、被写体光を拡散し、拡散させた被写体光をペンタダハプリズム１０３に導く。ペンタダハプリズム１０３は、被写体光を反射させて結像光学系１０４に導く。結像光学系１０４は、測光センサ１０５上に被写体像を結像させる。
【００６７】
ステップＳ１０９：ＣＰＵ１９は、予備発光による測光を測光センサ１０５に行わせる。具体的には、ＣＰＵ１９は、測光センサ１０５を駆動して電荷の蓄積制御を行う。
【００６８】
ステップＳ１１０：ＣＰＵ１９は、測光センサ１０５に画像信号の出力を行わせる。具体的には、ＣＰＵ１９は、第１又は第２の間引きモードに基づいて、ローリングシャッタ方式により測光センサ１０５の撮像素子を間引き動作させる。ここで、測光センサ１０５の撮像素子を間引き動作をさせるのは、撮像素子の電荷蓄積時間を短くし、予備発光による反射光以外の光（定常光成分）の影響を減らすためである。
【００６９】
図８は、間引き読み出しされた画像信号に基づく出力画像の一例を示す図である。図８（ａ）は、第１の間引きモードに基づく画像であり、図８（ｂ）は、第２の間引きモードに基づく画像である。図８（ａ）では、ライン番号ｙ[ｊ]として、ｙ[ｊ]＝（０、３、６、９、１２、１５、１８、２１、２４、２７）のライン番号の画素列の画像信号が読み出される。つまり、第１の間引きモードの場合、測光センサ１０５の撮像素子は、３ライン毎に画像信号を出力する。一方、図８（ｂ）では、ライン番号ｙ[ｊ]として、ｙ[ｊ]＝（０、６、１２、１８、２４）のライン番号の画素列の画像信号が読み出される。つまり、第２の間引きモードの場合、測光センサ１０５の撮像素子は、６ライン毎に画像信号を出力する。
【００７０】
ステップＳ１１１：ＣＰＵ１９の光量演算部１９ｈは、本発光量を算出する。具体的には、光量演算部１９ｈは、ステップＳ１１０で得られた出力画像に基づいて、発光量ガイドナンバーを決定する。発光量ガイドナンバーは、式（２）により算出される。
【００７１】
【数２】
2012063664.tif 000004
【００７２】
ここで、式（２）中、Ｖｏｙは、予備発光時の測光センサ１０５の出力値である。また、ＧＮＣｏｎｓｔは、予備発光時の発光量やその他の補正を加味した定数である。
【００７３】
【数３】
2012063664.tif 000005
【００７４】
また、ＴＨＩＮは、間引き行数によって設定される数である。第１の間引きモードの場合、ＴＨＩＮの値は３になり、第２の間引きモードの場合、ＴＨＩＮの値は６になる。ＩＮＴＧａｉｎは、ＶｏｙＢａｃｋを取得した時の測光センサ１０５の電荷蓄積時間とゲインとに基づいて、予備発光時の測光センサ１０５の電荷蓄積時間及びゲイン相当値にＶｏｙＢａｃｋを正規化するための係数である。光量演算部１９ｈは、発光量ガイドナンバーに基づいて、本発光量を算出する。
【００７５】
ステップＳ１１２：ＣＰＵ１９は、レリーズ釦１０８の全押し操作による撮影の指示入力の有無を判定する。撮影の指示入力が無い場合（ステップＳ１１２：Ｎｏ）、ＣＰＵ１９は、後述するステップＳ１１６の処理に移行して電源オフの判定がされない限り（ステップＳ１１６：Ｎｏ）、ステップＳ１０１の処理に戻る。一方、撮影の指示入力が有った場合（ステップＳ１１２：Ｙｅｓ）、ＣＰＵ１９は、ステップＳ１１３の処理に移行する。
【００７６】
ステップＳ１１３：ＣＰＵ１９は、クイックリターンミラー１０１を上に跳ね上げさせ、機械式シャッタ１０９のシャッタ幕を開けさせる。
【００７７】
ステップＳ１１４：ＣＰＵ１９は、閃光装置１５０に駆動信号を送信する。発光制御部１５０ｃは、式（２）で算出された発光量ガイドナンバーに基づいて発光部１５０ｂに本発光を行わせる。この際、ＣＰＵ１９は、本発光に同期して、撮像素子１０を駆動する。信号処理部１１は、画像信号のゲイン調整やＡ／Ｄ変換等を行う。この信号処理部１１が出力する画像信号は、ＲＡＭ１３に画像データとして一旦記録される。画像処理部１２は、ＲＡＭ１３に記録されている画像データを読み出し、各種の画像処理（階調変換処理、輪郭強調処理、ホワイトバランス処理等）を施す。ＣＰＵ１９は、画像処理部１２で画像処理が施された画像データを、記録Ｉ／Ｆ部１５を介して、記録媒体３０に記録する。
【００７８】
ステップＳ１１５：ＣＰＵ１９は、クイックリターンミラー１０１を元の位置に戻させ、機械式シャッタ１０９のシャッタ幕を閉じさせる。
【００７９】
ステップＳ１１６：ＣＰＵ１９は、電源オフ（撮影終了）の指示入力を受け付けたか否かを判定する。電源オフの指示入力を受け付けない場合（ステップＳ１１６：Ｎｏ）、ＣＰＵ１９は、ステップＳ１０１の処理に戻る。一方、電源オフの指示入力を受け付けた場合（ステップＳ１１６：Ｙｅｓ）、ＣＰＵ１９は、図３に示すフローの処理を終了させる。
【００８０】
以上より、本実施形態によれば、ライン指定部１９ｂは、間引き読み出しするラインを、画像内の被写体の顔の大きさに基づいて指定する。例えば、ライン指定部１９ｂは、被写体の顔の大きさが上記の閾値を超えている場合、第２の間引きモードにて読み出すラインを第１の間引きモードより少なく指定する。これにより、本実施形態では、測光値が飽和するおそれを抑制できる。一方、例えば、被写体の顔の大きさが上記の閾値以下であれば、ライン指定部１９ｂは、第１の間引きモードにて読み出すラインを第２の間引きモードよりも多く設定する。これにより、本実施形態では、被写体の顔が間引き読み出しするライン間に入ってしまうことを防ぐことができる。
【００８１】
したがって、本実施形態によれば、測光センサ１０５からの受光信号を間引き読み出しで制御する場合、被写体の大きさに応じて安定した発光量制御が可能となり、高精度な露出制御が可能となる。つまり、本実施形態によれば、測光精度が確保される測光装置及びその測光装置を搭載した電子カメラ１を提供できる。
【００８２】
次に、第１変形例から第７変形例について説明する。なお、上記実施形態との差異点は、図３に示すフローの処理におけるステップＳ１０５の処理である。そのため、第１変形例から第７変形例では、差異点について主に説明する。
（第１変形例）
第１変形例では、ＣＰＵ１９は、図１に示す三脚６１の取り付けの有無に応じて、第１又は第２の間引きモードを選択するための判定処理を行う。具体的には、ＣＰＵ１９は、角速度センサ５３の出力結果に基づいて、電子カメラ本体１００の支持状態の判定（三脚６１で支持された状態か否かの判定）を行う。すなわち、ＣＰＵ１９は、角速度センサ５３が三脚６１で支持された状態か否かによって異なる周波数の信号を出力することを利用して、電子カメラ本体１００の支持状態を判定できる。
【００８３】
ここで、図３に示すステップＳ１０５の処理において、ＣＰＵ１９は、電子カメラ本体１００が三脚６１で支持されていないと判定した場合、第１の間引きモードを選択するためにフラグをオンにする。これは、電子カメラ本体１００が三脚６１で支持されていない場合、振動の影響を考慮して、間引き読み出しするラインを増やすためである。一方、ＣＰＵ１９は、電子カメラ本体１００が三脚６１で支持されていると判定した場合、第２の間引きモードを選択するためにフラグをオフにする。これは、電子カメラ本体１００が三脚で支持されている場合、低輝度でも高輝度でも算出される本発光量の精度は確保されやすいからである。そのため、電子カメラ本体１００が三脚６１で支持されている場合、図３に示すフローの処理において、ＣＰＵ１９は、わずかな構図の変化による測光センサ１０５の出力データの不整合を抑制することができる。
【００８４】
なお、ＣＰＵ１９は、被写体の顔の大きさが閾値以下の場合には、電子カメラ本体１００が三脚６１で支持されていても第１の間引きモードを選択することが好ましい。
【００８５】
以上より、第１変形例では、電子カメラ本体１００の支持状態に応じて、測光センサ１０５の測光精度が確保されるように、間引きモードを変更することができる。
（第２変形例）
第２変形例では、ＣＰＵ１９は、撮影者の手ぶれの有無に応じて、第１又は第２の間引きモードを選択するための判定処理を行う。具体的には、ＣＰＵ１９は、例えば図２に示すぶれ検出部１８の出力結果に基づいて、電子カメラ本体１００の振動状態の判定を行う。すなわち、ＣＰＵ１９は、ぶれ検出部１８が手ぶれ状態か否かによって異なる周波数の信号を出力することを利用して、電子カメラ本体１００の振動状態を判定できる。ここで、図３に示すステップＳ１０５の処理において、ＣＰＵ１９は、電子カメラ本体１００が手ぶれにより振動していると判定した場合、第１の間引きモードを選択するためにフラグをオンにする。これは、手ぶれによる振動の影響を考慮して、間引き読み出しするラインを増やすためである。一方、ＣＰＵ１９は、電子カメラ本体１００が手ぶれによる影響が無いと判定した場合、第２の間引きモードを選択するためにフラグをオフにする。なお、第２変形例では、振動状態であっても被写体の大きさが一定以上であれば、第２の間引きモードとする。
【００８６】
以上より、第２変形例では、電子カメラ本体１００の振動状態に応じて、測光センサ１０５の測光精度が確保されるように、間引きモードを変更することができる。
（第３変形例）
第３変形例では、ＣＰＵ１９は、被写体の大小だけでなく、被写体の輝度も考慮して、第１又は第２の間引きモードを選択するための判定処理を行う。具体的には、ＣＰＵ１９は、例えば図２に示す輝度検出部１９ｃの算出結果も考慮して、第１又は第２の間引きモードを選択する。ここで、図３に示すステップＳ１０５の処理において、ＣＰＵ１９は、一例として、輝度値が予め設定した閾値以上の場合、第２の間引きモードを選択するためにフラグをオフにする。これにより、ＣＰＵ１９は、測光値が飽和するのを抑制できる。ただし、被写体の顔が第２の間引きモードにすることにより、間引き読み出しするライン間に入ってしまう場合には、ＣＰＵ１９は、第１の間引きモードを選択するためにフラグをオンにする。
【００８７】
以上より、第３変形例では、被写体の大きさと輝度値に応じて、測光センサ１０５の測光精度が確保されるように、間引きモードを変更することができる。
（第４変形例）
第４変形例では、ＣＰＵ１９は、被写体の大小だけでなく、被写体の動きの有無も考慮して、第１又は第２の間引きモードを選択するための判定処理を行う。なお、動き検出部１９ｄは、例えば上記のステップＳ１０１〜Ｓ１０３の処理の繰り返しの際に出力されるフレームに基づいて、被写体の動きを検出する。そして、ＣＰＵ１９は、例えば図２に示す動き検出部１９ｄの出力結果に基づいて、被写体の動きの有無の判定を行う。
【００８８】
ここで、図３に示すステップＳ１０５の処理において、ＣＰＵ１９は、被写体が動いていると判定した場合、第１の間引きモードを選択するためにフラグをオンにする。例えば被写体の顔の大きさが閾値以下であって、被写体が動いている場合、定常光受光時と予備発光時とで、顔の部分に基づく光束成分や予備発光による反射光成分の受光の有無が異なることが起こり得る。そのため、ＣＰＵ１９は、上記の式（２）に基づく誤差を減らすため、第１の間引きモードを選択する。
【００８９】
一方、ＣＰＵ１９は、被写体が動いていないと判定した場合、第２の間引きモードを選択するためにフラグをオフにする。なお、動き検出部１９ｄは、被写体の動きに基づいて、複数のフレーム間における画像のぶれである像ぶれを検出しても良い。そして、ＣＰＵ１９は、像ぶれの有無（度合い）も考慮して、第１又は第２の間引きモードを選択するようにしても良い。すなわち、ＣＰＵ１９は、像ぶれを検出した場合には、第１の間引きモードを選択する。
【００９０】
また、ＣＰＵ１９は、さらに図２に示す追尾部１９ｅの追尾結果を応じて、第１又は第２の間引きモードを選択するようにしても良い。すなわち、ＣＰＵ１９は、被写体が継続的に動いている場合には、第１の間引きモードを選択する。
【００９１】
以上より、第４変形例では、被写体の動きも考慮して、測光センサ１０５の測光精度が確保されるように、間引きモードを変更することができる。
（第５変形例）
第５変形例では、ＣＰＵ１９は、被写体の大小だけでなく、レンズ系５１の撮影倍率も考慮して、第１又は第２の間引きモードを選択するための判定処理を行う。具体的には、ＣＰＵ１９は、例えば図２に示す撮影倍率検出部１９ｆの出力結果に基づいて、第１又は第２の間引きモードを選択する。
【００９２】
ここで、図３に示すステップＳ１０５の処理において、ＣＰＵ１９は、例えば、焦点距離が望遠側に変更された場合、第１の間引きモードを選択するためにフラグをオンにする。これは、焦点距離が望遠側に変更された場合、被写体がぶれやすくなる。そのため、ライン指定部１９ｂは、フラグがオンに設定された場合、第１の間引きモードに基づいて、読み出しラインを指定する。一方、ＣＰＵ１９は、焦点距離が望遠側に変更されない場合、第２の間引きモードを選択するためにフラグをオフにする。なお、焦点距離が短い場合にも、被写体がぶれやすくなる。この場合、ＣＰＵ１９は、第１の間引きモードを選択するためにフラグをオンにする。
【００９３】
以上より、第５変形例では、レンズ系５１の撮影倍率も考慮して、測光センサ１０５の測光精度が確保されるように、間引きモードを変更することができる。
（第６変形例）
第６変形例では、ＣＰＵ１９は、被写体の大小だけでなく、シャッタ秒時も考慮して、第１又は第２の間引きモードを選択するための判定処理を行う。具体的には、ＣＰＵ１９は、例えば図２に示すシャッタ秒時制御部１９ｇによるシャッタ秒時の設定に基づいて、第１又は第２の間引きモードを選択する。
【００９４】
ここで、図３に示すステップＳ１０５の処理において、ＣＰＵ１９は、例えば、動いている被写体を撮影するシャッタ秒時に設定されている場合、第１の間引きモードを選択するためにフラグをオンにする。なお、ライン指定部１９ｂは、シャッタ秒時が高速になるにしたがって、画像信号を間引き読み出しするライン数を増やすようにしても良い。
【００９５】
以上より、第６変形例では、シャッタ秒時も考慮して、測光センサ１０５の測光精度が確保されるように、間引きモードを変更することができる。
（第７変形例）
第７変形例では、ＣＰＵ１９は、被写体の大小だけでなく、単写撮影又は連写撮影の設定も考慮して、第１又は第２の間引きモードを選択するための判定処理を行う。具体的には、ＣＰＵ１９は、例えば図２に示す操作部１７から撮影者により連写撮影の指示入力を受け付けた場合、第１の間引きモードを選択する。これは、連写撮影の場合、動きのある被写体を撮影する場合が多いので、間引き読み出しするラインを第２の間引きモードよりも多くするためである。一方、ＣＰＵ１９は、単写撮影の指示入力を受け付けた場合、第２の間引きモードを選択する。
【００９６】
なお、第７変形例では、連写撮影の場合、本発光される毎に撮影を行うため、予め、連続して本発光するための専用のバッテリをさらに搭載していることする。
【００９７】
以上より、第７変形例では、単写撮影又は連写撮影であるか否かも考慮して、測光センサ１０５の測光精度が確保されるように、間引きモードを変更することができる。
（上記実施形態の補足事項）
（１）上記実施形態では、図３のフローチャートの間引きモードの判定処理（ステップＳ１０５）において、被写体の大きさに基づいて、第１の間引きモード又は第２の間引きモードの判定を行った。ここで、上記実施形態では、間引きモードの判定処理について、例えば、上記の変形例で説明した判定処理の条件のうち少なくとも１つ以上を上記実施形態に組み合わせても良い。
【００９８】
図９は、図３のフローチャートの間引きモードの判定処理の変形例を説明する図である。ここでは、図３のフローチャートの間引きモードの判定処理（ステップＳ１０５）がサブルーチン化されていることとし、ＣＰＵ１９は、図９に示す間引きモードの判定処理のサブルーチンのフローの処理を実行する。
【００９９】
ステップＳ２０１：ＣＰＵ１９は、被写体が大きいか否かを判定する。具体的には、ＣＰＵ１９は、図３に示すステップＳ１０５と同様にして、画像内に占める顔の大きさを判定する。被写体が大きい場合（顔の大きさが閾値を超えている場合）には（ステップＳ２０１：Ｙｅｓ）、ＣＰＵ１９は、ステップＳ２０２の処理に移行する。つまり、被写体が大きい場合には間引き行数の影響が受けにくいので、ＣＰＵ１９は、第２の間引きモードを選択することが好ましい。
【０１００】
一方、顔の大きさが閾値以下の場合には（ステップＳ２０１：Ｙｅｓ）、ＣＰＵ１９は、ステップＳ２０３の処理に移行する。
【０１０１】
ステップＳ２０２：ＣＰＵ１９は、第２の間引きモードを選択するため、間引き選択用のフラグをオフにする。そして、ＣＰＵ１９は、図３に示すステップＳ１０６の処理に戻る。
【０１０２】
ステップＳ２０３：ＣＰＵ１９は、撮影倍率が大きいか否かを判定する。具体的には、ＣＰＵ１９は、第５変形例で説明した通り、撮影倍率検出部１９ｆの出力結果を判定する。ＣＰＵ１９は、例えば、撮影倍率が予め設定した閾値より大きい場合（ステップＳ２０３：Ｙｅｓ）には、ＣＰＵ１９は、ステップＳ２０２の処理に移行する。
【０１０３】
つまり、撮影倍率が大きい場合には間引き行数の影響が受けにくいので、ＣＰＵ１９は、第２の間引きモードを選択することが好ましい。したがって、ＣＰＵ１９は、ステップＳ２０２の処理に移行し、第２の間引きモードを選択するため、間引き選択用のフラグをオフにする。
【０１０４】
一方、撮影倍率が予め設定した閾値以下の場合（ステップＳ２０３：Ｎｏ）には、ＣＰＵ１９は、ＣＰＵ１９は、ステップＳ２０４の処理に移行する。
【０１０５】
ステップＳ２０４：ＣＰＵ１９は、電子カメラ本体１００の支持状態を判定する。具体的には、ＣＰＵ１９は、第１変形例で説明した通り、角速度センサ５３の出力結果に基づいて、電子カメラ本体１００が三脚６１で支持された状態か否かの判定を行う。電子カメラ本体１００が三脚６１で支持されている場合（ステップＳ２０４：Ｙｅｓ）には、ＣＰＵ１９は、ステップＳ２０５の処理に移行する。一方、電子カメラ本体１００が三脚６１で支持されていない場合（ステップＳ２０４：Ｎｏ）には、ＣＰＵ１９は、後述するステップＳ２０７の処理に移行する。
【０１０６】
ステップＳ２０５：ＣＰＵ１９は、単写撮影か否かの判定を行う。具体的には、第７変形例で説明した通り、撮影者により単写撮影の指示入力を受け付けた場合（ステップＳ２０５：Ｙｅｓ）には、ＣＰＵ１９は、ステップＳ２０６の処理に移行する。
【０１０７】
一方、撮影者により連写撮影の指示入力を受け付けた場合（ステップＳ２０５：Ｎｏ）には、ＣＰＵ１９は、後述するステップＳ２０７の処理に移行する。
【０１０８】
なお、ステップＳ２０４において、電子カメラ本体１００が三脚６１で支持されていても、連写撮影の場合には被写体が動くので間引きでの読み出しラインを多くすることが好ましい。したがって、ＣＰＵ１９は、第１の間引きモードを選択するため、後述するステップＳ２０７の処理に移行する。
【０１０９】
ステップＳ２０６：ＣＰＵ１９は、シャッタ秒時が高速か否かを判定する。具体的には、第６変形例で説明した通り、例えば、動いている被写体を撮影するシャッタ秒時に設定されている場合（シャッタ秒時が高速に相当）には（ステップＳ２０６：Ｙｅｓ）、ＣＰＵ１９は、第２の間引きモードを選択することが好ましいので、ステップＳ２０７の処理に移行する。
【０１１０】
一方、例えば、静止している被写体を撮影するシャッタ秒時に設定されている場合（シャッタ秒時が低速に相当）には（ステップＳ２０６：Ｎｏ）、ＣＰＵ１９は、第２の間引きモードを選択することが好ましいので、ステップＳ２０２の処理に移行する。
【０１１１】
ステップＳ２０７：ＣＰＵ１９は、第１の間引きモードを選択するため、間引き選択用のフラグをオンにする。そして、ＣＰＵ１９は、図３に示すステップＳ１０６の処理に戻る。
【０１１２】
以上より、本発明は、間引きモードの判定処理について、例えば、上記の変形例で説明した判定処理の条件のうち少なくとも１つ以上を上記実施形態に組み合わせることで、高精度な露出制御がさらに可能となる。
【０１１３】
（２）上記実施形態では、一眼レフレックスタイプの電子カメラを例に挙げたが、レンズ交換を必要としないコンパクトタイプの電子カメラであっても良い。この場合、コンパクトタイプの電子カメラに用いられる撮像素子を本発明の測光装置の撮像手段として兼用する構成にしても良い。
【０１１４】
（３）上記実施形態では、本発明の測光装置を一眼レフレックスタイプの電子カメラに搭載したが、例えば銀塩フィルム型の一眼レフレックスカメラに搭載しても良い。
【０１１５】
（４）上記実施形態では、説明をわかりやすくするため、第１の間引きモードと第２の間引きモードとの２通りについて説明したが、これは一例であって、例えば、２ライン毎、３ライン毎、４ライン毎、５ライン毎等、複数の間引きモードを設けても良い。
【０１１６】
（５）上記実施形態では、三脚６１は、雲台６０を介して電子カメラ本体１００を支持したが、光学系５１を有するレンズ鏡筒を支持しても良い。
【符号の説明】
【０１１７】
１・・・電子カメラ、１０５・・・測光センサ、１９ａ・・・被写体検出部、１９ｂ・・・ライン指定部、１９ｈ・・・光量演算部１９ｈ
【図１】
2012063664.tif 000006
【図２】
2012063664.tif 000007
【図３】
2012063664.tif 000008
【図４】
2012063664.tif 000009
【図５】
2012063664.tif 000010
【図６】
2012063664.tif 000011
【図７】
2012063664.tif 000012
【図８】
2012063664.tif 000013
【図９】
2012063664.tif 000014